(57)【要約】【課題】顔認証機能を有するカメラシステムにおいて、複数の被写体が存在しても次々と各被写体に容易にフォーカスを合わせる。【解決手段】被写体を撮像する撮像手段と、撮影画像のうち、所定のＡＦエリア内でフォーカス調整を行うオートフォーカス手段と、フォーカス対象とすべき複数の被写体を、その顔認証に必要な情報と、撮影時にフォーカス対象とする順番とともに、予め登録するフォーカス対象登録手段と、前記予め登録された複数のフォーカス対象とすべき被写体の中から撮影中にフォーカス対象とする被写体を指定するフォーカス対象指定手段と、前記撮像中の被写体と、前記指定されたフォーカス対象とする被写体とを顔認証する顔認証手段とを備え、前記顔認証により、前記撮像中の被写体が前記指定されたフォーカス対象とする被写体と同一人物であると判定された場合に、該撮像中の被写体に対してフォーカス調整を実行する。【選択図】図１
2010085530.tif 000002
【特許請求の範囲】
【請求項１】
光学系により結像された被写体像を撮像する撮像手段と、
前記撮像手段により撮像された撮影画像のうち、所定のＡＦエリア内の被写体にピントが合うように前記光学系のフォーカス調整を行うオートフォーカス手段と、
フォーカス対象とすべき複数の被写体を、その顔認証に必要な情報と、撮影時にフォーカス対象とする順番とともに、予め登録するフォーカス対象登録手段と、
前記予め登録された複数のフォーカス対象とすべき被写体の中から撮影中にフォーカス対象とする被写体を指定するフォーカス対象指定手段と、
前記撮像中の被写体と、前記指定されたフォーカス対象とする被写体とを顔認証する顔認証手段と、
を備え、前記顔認証により、前記撮像中の被写体が前記指定されたフォーカス対象とする被写体と同一人物であると判定された場合に、該撮像中の被写体に対して前記オートフォーカス手段によるフォーカス調整を実行することを特徴とするオートフォーカスシステム。
【請求項２】
前記フォーカス対象指定手段は、前記予め登録された撮影時にフォーカス対象とする順番に基づき、撮影場面の変化に応じて次にフォーカス対象とすべき被写体の順番を指定することによって前記撮影中にフォーカス対象とする被写体を指定することを特徴とする請求項１に記載のオートフォーカスシステム。
【請求項３】
前記フォーカス対象指定手段は、タッチパネル機能を備えた液晶表示画面であることを特徴とする請求項１または２に記載のオートフォーカスシステム。
【請求項４】
前記フォーカス対象指定手段は、音声認識機能を備え、音声入力により前記フォーカス対象とする被写体を指定することを特徴とする請求項１または２に記載のオートフォーカスシステム。
【発明の詳細な説明】
【技術分野】
【０００１】
本発明は、オートフォーカスシステムに係り、特に、顔認証機能を有するカメラシステムにおいて、カメラの撮影範囲内の特定の人物を顔認証して追尾しながらピント合わせをすることができるオートフォーカスシステムに関する。
【背景技術】
【０００２】
従来、カメラのフォーカスを自動的に合わせるオートフォーカス（ＡＦ）システムにおいては、どこにフォーカスを合わせるかをカメラに対して指示しなければならない。このとき、一般のカメラなどでは、フォーカスを合わせる位置は撮影範囲のセンターに固定されていて、例えば撮影範囲の中央にいる人物等にフォーカスが合うようになっている。
【０００３】
しかし、動いている被写体を撮影する場合などにおいては、このようにフォーカスを合わせる位置が固定されていては都合が悪い。そこで、例えば、テレビカメラなどで、スポーツのように被写体の動きの激しいシーンを撮影する場合において、被写体にピントを合わせる目的でオートフォーカスエリア（ＡＦエリア）が被写体の動きについて行くＡＦエリア自動追尾システムが知られている（例えば、特許文献１等参照）。
【０００４】
また、撮像された画像中から人の顔を表す画像を検出し、その被写体となった顔に対して自動的にピントを合わせたり、あるいは上記検出された画像中の顔を表す領域が拡大されるように自動的にズーム倍率を変更させるデジタルカメラが知られている（例えば、特許文献２等参照）。
【０００５】
また、最近では、組み込みＣＰＵの性能が向上し、画面の中から人の顔を検知、認証して、その認証した特定の人物に対してフォーカスを合わせるシステムが導入されてきている。
【特許文献１】特開２００６−２６７２２１号公報
【特許文献２】特開２００４−３２０２８６号公報
【発明の開示】
【発明が解決しようとする課題】
【０００６】
しかしながら、上記顔を認証した特定の人物に対してフォーカスを合わせるシステムでは、事前にフォーカスを合わせたい人をシステムに設定しておく必要があるため、例えば、放送の収録などで何人もの人に次々にフォーカスを合わせていくような場合には不都合が生じるという問題がある。
【０００７】
本発明は、このような事情に鑑みてなされたもので、顔認証機能を有するカメラシステムにおいて、複数の被写体が存在しても次々と各被写体に容易にフォーカスを合わせることのできるオートフォーカスシステムを提供することを目的とする。
【課題を解決するための手段】
【０００８】
前記目的を達成するために、請求項１に記載の発明は、光学系により結像された被写体像を撮像する撮像手段と、前記撮像手段により撮像された撮影画像のうち、所定のＡＦエリア内の被写体にピントが合うように前記光学系のフォーカス調整を行うオートフォーカス手段と、フォーカス対象とすべき複数の被写体を、その顔認証に必要な情報と、撮影時にフォーカス対象とする順番とともに、予め登録するフォーカス対象登録手段と、前記予め登録された複数のフォーカス対象とすべき被写体の中から撮影中にフォーカス対象とする被写体を指定するフォーカス対象指定手段と、前記撮像中の被写体と、前記指定されたフォーカス対象とする被写体とを顔認証する顔認証手段と、を備え、前記顔認証により、前記撮像中の被写体が前記指定されたフォーカス対象とする被写体と同一人物であると判定された場合に、該撮像中の被写体に対して前記オートフォーカス手段によるフォーカス調整を実行することを特徴とするオートフォーカスシステムを提供する。
【０００９】
これにより、顔認証機能を有するカメラシステムにおいて、複数の被写体が存在しても次々と各被写体に容易にフォーカスを合わせることが可能となる。
【００１０】
また、請求項２に示すように、前記フォーカス対象指定手段は、前記予め登録された撮影時にフォーカス対象とする順番に基づき、撮影場面の変化に応じて次にフォーカス対象とすべき被写体の順番を指定することによって前記撮影中にフォーカス対象とする被写体を指定することを特徴とする。
【００１１】
これにより、予め登録しておいた順番に基づいて、その順番を例えばスイッチなどでシーケンシャルに送るだけで、場面の変化に合わせて次のフォーカスを合わせるべき被写体に簡単にフォーカス調整することができる。
【００１２】
また、請求項３に示すように、前記フォーカス対象指定手段は、タッチパネル機能を備えた液晶表示画面であることを特徴とする。
【００１３】
これにより、誰でも簡単に次のフォーカス対象への切り換えができる。
【００１４】
また、請求項４に示すように、前記フォーカス対象指定手段は、音声認識機能を備え、音声入力により前記フォーカス対象とする被写体を指定することを特徴とする。
【００１５】
これにより、たとえ両手が塞がっている場合でも、簡単にフォーカス対象の切り換えができる。
【発明の効果】
【００１６】
以上説明したように、本発明によれば、顔認証機能を有するカメラシステムにおいて、複数の被写体が存在しても次々と各被写体に容易にフォーカスを合わせることが可能となる。
【発明を実施するための最良の形態】
【００１７】
以下、添付図面を参照して、本発明に係るオートフォーカスシステムについて詳細に説明する。
【００１８】
図１は、本発明に係るオートフォーカスシステムが適用される撮像システムの全体構成を示したブロック図である。この撮像システムは、例えば、放送用テレビカメラでの撮影に用いられる撮像システムである。
【００１９】
図１に示すように、本実施形態の撮像システム１は、被写体の撮影を行うテレビカメラ１０、撮影された画像を表示するビューファインダ１６、被写体の顔認証及びこれに基づいてＡＦ自動追尾を行う画像処理ユニット１８、及び操作部２０等を有している。
【００２０】
テレビカメラ１０は、ハイビジョンテレビ［ＨＤ（High Definition)ＴＶ］方式に対応したＨＤカメラからなるカメラ本体１２と、カメラ本体１２のレンズマウントに装着される撮影レンズ（光学系）を備えたレンズ装置１４とから構成される。また、カメラ本体１２は、旋回方向（パン）及び上下傾動方向（チルト）に移動可能に、雲台２２上に支承されている。
【００２１】
カメラ本体１２には、撮像素子（例えばＣＣＤ）や所要の信号処回路等が搭載されており、レンズ装置１４の撮影レンズにより結像された像は、撮像素子により光電変換された後、信号処理回路によって所要の信号処理が施されてＨＤＴＶ方式の映像信号（ＨＤＴＶ信号）として、カメラ本体１２の映像信号出力端子等から外部に出力される。
【００２２】
レンズ装置１４は、カメラ本体１２のレンズマウントに装着される撮影レンズ（ズームレンズ）２４を備えている。撮影レンズ２４により、被写体がカメラ本体１２の撮像素子の撮像面に結像されるようになっている。撮影レンズ２４には、図示を省略するが、その構成部としてフォーカスレンズ群、ズームレンズ群、絞りなどの撮影条件を調整するための可動部が設けられており、それらの可動部は、モータ（サーボ機構）によって電動駆動されるようになっている。例えば、フォーカスレンズ群やズームレンズ群は光軸方向に移動し、フォーカスレンズ群が移動することによってフォーカス（被写体距離）調整が行われ、ズームレンズ群が移動することによって焦点距離（ズーム倍率）調整が行われる。
【００２３】
なお、オートフォーカスに関するシステムにおいては、少なくともフォーカスレンズ群が電動で駆動できればよく、その他の可動部は手動でのみ駆動可能であってもよい。また、所定の可動部を操作者の操作に従って電動駆動する場合には、図示しない操作手段（レンズ装置１４に接続されるコントローラの操作手段等）から操作者の操作に従って出力されるコントロール信号に基づいて可動部の動作が制御されるが詳細は省略する。
【００２４】
また、レンズ装置１４には、ＡＦユニット２６及び図示しないレンズＣＰＵ等が搭載されている。レンズＣＰＵはレンズ装置１４全体を統括制御するものである。また、ＡＦユニット２６は、図示を省略するが、ＡＦ処理部、ＡＦ用撮像回路等から構成されている。ＡＦ用撮像回路はＡＦ処理用の映像信号を取得するためにレンズ装置１４に配置されており、撮像素子ＣＣＤ等の撮像素子（ＡＦ用撮像素子という）やＡＦ用撮像素子の出力信号を所定形式の映像信号として出力する処理回路等を備えている。なお、ＡＦ用撮像回路から出力される映像信号は輝度信号である。
【００２５】
ＡＦ用撮像素子の撮像面には、撮影レンズ２４の光路上に配置されたハーフミラー等によってカメラ本体１２の撮像素子に入射する被写体光から分岐された被写体光が結像するようになっている。ＡＦ用撮像素子の撮像エリアに対する撮影範囲及び被写体距離（ピントが合う被写体の距離）は、カメラ本体１２の撮像素子の撮像エリアに対する撮影範囲及び被写体距離に一致するように構成されており、ＡＦ用撮像素子により取り込まれる被写体画像は、カメラ本体１２の撮像素子により取り込まれる被写体画像と一致している。尚、両者の撮影範囲に関しては完全に一致している必要はなく、例えば、ＡＦ用撮像素子の撮影範囲の方がカメラ本体１２の撮像素子の撮影範囲を包含する大きな範囲であってもよい。
【００２６】
ＡＦ処理部は、ＡＦ用撮像回路から映像信号を取得し、その映像信号に基づいて被写体画像のコントラストの高低を示す焦点評価値を算出する。例えば、ＡＦ用撮像素子から得られた映像信号の高域周波数成分の信号をハイパスフィルタによって抽出した後、その高域周波数成分の信号のうちＡＦの対象とするＡＦエリアに対応する範囲の信号を１画面（１フレーム）分ずつ積算する。このようにして１画面分ごとに得られる積算値は被写体画像のコントラストの高低を示し、焦点評価値としてレンズＣＰＵに与えられる。
【００２７】
レンズＣＰＵは、ＡＦエリアの範囲（輪郭）を示すＡＦ枠の情報（ＡＦ枠情報）を、後述するように操作部２０から画像処理ユニット１８を介して取得し、そのＡＦ枠情報により指定されたＡＦ枠内の範囲をＡＦエリアとしてＡＦ処理部に指定する。そして、そのＡＦエリア内の画像（映像信号）により求められる焦点評価値をＡＦ処理部から取得する。      
【００２８】
このようにしてＡＦ用撮像回路から１画面分の映像信号が取得されるごとに（ＡＦ処理部で焦点評価値が求められるごとに）ＡＦ処理部から焦点評価値を取得すると共に、取得した焦点評価値が最大（極大）、即ち、ＡＦエリアの被写体画像のコントラストが最大となるようにフォーカスレンズ群を制御する。例えば、焦点評価値に基づくフォーカスレンズ群の制御方式として山登り方式が一般的に知られており、フォーカスレンズ群を焦点評価値が増加する方向に移動させて行き、焦点評価値が減少し始める点を検出すると、その位置にフォーカスレンズ群を設定する。これにより、ＡＦ枠内の被写体に自動でピントが合わせられる。  
【００２９】
なお、カメラ本体１２及びレンズ装置１４には、それぞれ被写体側から見やすい場所に、テレビカメラ１０が撮影動作(ＯＮ  ＡＩＲ）中であることを知らせるタリーランプ１２ａ及び１４ａが設けられている。
【００３０】
また、カメラ本体１２及びレンズ装置１４は、それぞれに設けられたシリアル通信インターフェイス（ＳＣＩ）１２ｂ及び１４ｂとを介して様々な情報の送受信を行うようになっている。また、レンズ装置１４のＡＦユニット２６と、後述する画像処理ユニット１８のメインボード３０とは、それぞれに設けられたシリアル通信インターフェイス２６ａ及び３０ａとの間で様々な情報の送受信を行うようになっている。
【００３１】
カメラ本体１２から出力されたＨＤＴＶ信号（ＨＤビデオ信号）は、テレビカメラ１０によって撮像された映像としてビューファインダ１６に表示され、構図の確認等に用いられる。
【００３２】
このように、ビューファインダ１６にはテレビカメラ１０からの映像信号が与えられ、テレビカメラ１０で撮像されているリアルタイムの画像（映像）がビューファインダ１６の画面上に表示されるようになっている。また、ビューファインダ１６の画面上にはオートフォーカス（ＡＦ）の対象とするＡＦエリアの範囲を示すＡＦ枠等の情報も表示することができる。
【００３３】
また一方で、カメラ本体１２から出力されたＨＤＴＶ信号は、ダウンコンバータ２８によって、標準テレビ[ＮＴＳＣ（National Television System Committee)]方式の映像信号（ＳＤＴＶ信号)に変換(ダウンコンバート)されて、画像処理ユニット１８に入力されるようになっている。
【００３４】
詳しくはこの後述べるが、画像処理ユニット１８は、撮像された被写体画像中の被写体人物について顔認証を行い、それがオートフォーカスをかけて自動追尾するように予め設定されていた被写体（フォーカス対象）であると認定された場合には、ＡＦユニット２６を通じてレンズ装置１４をオートフォーカス制御するものである。
【００３５】
なお、本実施形態は、このとき、予め複数の人物のデータを登録し、さらにその中で撮影中にフォーカス対象としていく順番を決めておき、例えば場面の変わり目毎に操作者がその順番を送ると、その順番に従ってオートフォーカスの対象が切り換わっていくようにするものである。
【００３６】
また、顔認証を行い、現在撮影中の被写体がオートフォーカスをかけて自動追尾する対象であるか否か判定するためには、ＨＤＴＶ信号による高精細な画像である必要はなく、標準テレビ方式の映像信号（ＳＤＴＶ信号)の画像で充分であるので、カメラ本体１２から出力されたＨＤＴＶ信号をダウンコンバータ２８によってＳＤＴＶ信号に変換するものである。
【００３７】
画像処理ユニット１８は、各処理を行うブロックがそれぞれ別のボードに構成されており、メインボード３０、認証処理演算ボード３２、及び顔認証データカード３４を有している。
【００３８】
メインボード３０は、デコーダ(Ａ／Ｄ変換器)３６、ＣＰＵ３８、ＲＡＭ４０、スーパーインポーザ４２を有して構成されている。
【００３９】
上述したように、カメラ本体１２から出力されたＨＤＴＶ信号はダウンコンバータ２８によってＳＤＴＶ信号に変換されて画像処理ユニット１８に入力されるが、デコーダ(Ａ／Ｄ変換器)３６は、このＳＤＴＶ信号に変換されたアナログデータの映像信号を、画像処理ユニット１８における顔認証処理のためにデジタルデータに変換するものである。
【００４０】
ＣＰＵ３８は、画像処理ユニット１８全体の制御を行うものである。ＲＡＭ４０は、オートフォーカスして追尾する対象について予め登録された情報、及び予め決められたオートフォーカスをかける順序を記憶しておくものである。また、スーパーインポーザ４２は、登録されたＡＦ追尾対象（フォーカス対象）に関する情報を、後述する操作部２０の表示画面にフォーカス対象の画像に重ねて文字等で表示するためのものである。
【００４１】
認証処理演算ボード３２は、認証処理を実行するＣＰＵ３２ａと表示用の画像を保持しているＶＲＡＭ３２ｂを有している。
【００４２】
操作部２０は、タッチパネル付きのＬＣＤ（液晶表示画面）で構成され、このＬＣＤの表示画面に表示されるデータはＮＴＳＣ／ＰＡＬ（コンポジット)信号である。
【００４３】
操作者は、操作部２０のタッチパネル式の表示画面により、予め登録されている対象の中からフォーカスを合わせるべき対象（フォーカス対象）を指定する。詳しくは後述するが、このとき予め決められた順番に従ってオートフォーカスの対象を切り換えるように、シーケンシャルに次の対象（の番号）を指示するようにする。あるいは、操作者がその順番にかかわらず、登録されているデータの中から任意にオートフォーカスの対象を指定するようにしてもよい。
【００４４】
操作部２０から入力された追尾対象（フォーカス対象）を指定するデータは画像処理ユニット１８のメインボード３０のＣＰＵ３８に入力される。ＣＰＵ３８は、指定された追尾対象を示すデータに基づいて、ＲＡＭ４０に記憶されている登録対象からその追尾対象の情報を取り出し、顔認証データカード３４のデータとともに認証処理演算ボード３２に送る。
【００４５】
認証処理演算ボード３２のＣＰＵ３２ａは、これらの予め登録されていた対象の中から指定されたフォーカス対象の被写体と、カメラ本体１２から送られた現在撮像中の映像信号の表す撮影対象である被写体との間で顔認証を行う。
【００４６】
認証処理演算ボード３２における顔認証は、公知の顔認証技術によって行われ、登録された特定の個人の顔を識別・認識する。
【００４７】
例えば、撮像された被写体に対して所定のアルゴリズムに従って特徴点を抽出する。抽出される特徴点としては、人物の眼、瞳、眉、鼻、口、耳などの輪郭やその向き、位置、大きさ等があり、さらに髪型や髭、眼鏡の有無などがある。これらを登録されているデータと比較することにより同一人物であるか否かが認証される。
【００４８】
図２に、操作部２０のタッチパネル付ＬＣＤで構成された表示画面を用いて実際にオートフォーカス対象の切り換えを行う様子を示す。
【００４９】
図２（ａ）は、操作者がモードの選択等を行うための表示である。ここで、例えば操作者が顔認証のために「データ呼び出し」を選択してタッチパネルから指示すると、表示画面に、予め登録されている複数の人物の画像等のデータが表示される。
【００５０】
このとき、例えば図２（ｂ）に示すように、予め８人の人物が、オートフォーカスの対象とする順番に１番から８番まで登録されていたとする。
【００５１】
これは、例えばテレビ番組の撮影で、カメラリハーサルなどで事前に順番を確認して、認証データ（登録データ）の順番が登録されているものである。
【００５２】
撮影が開始されると、まず１番の人物にフォーカスが合うようにして撮影が行われる。そして、番組の進行にともない場面が変化し、２番目の人物にフォーカスを合わせる時点で、操作者が図２（ｂ）に示すようなタッチパネル上の「INCREASE（次）」のボタンをタッチすると、２番にフォーカスを合わせるという指示が操作部２０から画像処理ユニット１８のメインボード３０のＣＰＵ３８に送られる。
【００５３】
ＣＰＵ３８は、この指示に基づいてＲＡＭ４０及び顔認証データカード３４から２番に登録された人物の顔認証に必要なデータを認証処理演算ボード３２に送信する。すると認証処理演算ボード３２は、これらのデータに基づいて、デコーダ３６から送られた映像データの人物に対して認証処理を行い、２番目の人物を認証する。
【００５４】
２番目の人物が認証されると、メインボード３０のＣＰＵ３８はシリアル通信インターフェイス３０ａ及びレンズ装置１４のＡＦユニット２６のシリアル通信インターフェイス２６ａを介してレンズ装置１４に指示を出し、２番目の人物にフォーカスを合わせるようにレンズ装置１４を制御してフォーカス調整を行う。
【００５５】
また、例えば図２（ｂ）に示すように、現在３番目に登録された人物に対してフォーカスが合っている場合に、「DECREASE(前）」のボタンをタッチすると、順番が一つ前の２番の人物がオートフォーカスの対象となり、２番の人物にフォーカスが合うようにレンズ装置１４が制御される。
【００５６】
このように、本実施形態においては、予め撮影の順番が決まっている場合には、その順番に応じてオートフォーカスの対象を登録しておき、操作者が「次」の順番を示すボタンをタッチするだけで次々にオートフォーカス対象が切り換わるため、複数の被写体が存在する場合であっても、各被写体に次々と容易にフォーカスを合わせることができる。
【００５７】
すなわち、台本のある収録のように場面の切り換えが予め決まっているような場合には、カメラリハーサルなどで事前に撮影の順番を確認し、認証データの順番を登録しておき、その順番をスイッチなどでシーケンシャルにシステムに送信できるように構成しておけば、場面の変化時に操作者が切り換えスイッチを押すことで次の人物の認証データがシステムに呼び込まれて、認証処理が実行されて自動的に次の人物にフォーカスが合うようにすることができる。
【００５８】
これにより、顔認証追尾システムを場面の変化に応じて連続で使用することが可能となる。
【００５９】
なお、図２（ｂ）に示した例では、「INCREASE（次）」と「DECREASE(前）」の２つのボタンが設定されていたが、ボタンの設定はこれに限定されることはなく、いろいろな設定が可能である。例えば、画面に数字キーを設けて、番号を指定することによりシーケンシャルに指定するのではなく、任意の登録対象を指定できるようにしてもよい。
【００６０】
またあるいは、音声入力によるスイッチを設けて、操作者が音声で「次」と発声すると装置がそれを音声認識して、ＣＰＵ３８に「次」の登録対象に切り換えるように指示するようにしてもよい。
【００６１】
また、さらに、ＡＦ追尾すべき各被写体の音声データを予め登録しておき、撮影時に被写体の発声する声を拾って、それを音声認識して、発声している人物を特定し、その人物に自動的にフォーカスを合わせるようにしてもよい。
【００６２】
また、操作部２０のタッチパネルを例えば他の場所に設置して、カメラマン以外の人物がスイッチ操作してオートフォーカス対象の切り換えを行えるようにしてもよい。
【００６３】
また、操作部２０のタッチパネルの表示で登録された人物の顔データや名前を見ながらスイッチしてオートフォーカス対象を切り換えるようにしてもよい。このとき、タッチパネルに表示された各登録された人物の画像にタッチすることにより、その人物にオートフォーカスを合わせるようにするよう、その人物画像自体をスイッチとするようにしてもよい。
【００６４】
また、多人数グループでの出演のような場合には、どれがフォーカスを合わせるべき該当者かをカメラマンが判別しにくいことも考えられる。このような場合には、例えば出演者の当日の衣装の特徴などを撮影開始直前にでも、追加登録可能に構成するようにするとＡＦ追尾の精度をさらに向上させることができる。
【００６５】
以上、本発明のオートフォーカスシステムについて詳細に説明したが、本発明は、以上の例には限定されず、本発明の要旨を逸脱しない範囲において、各種の改良や変形を行ってもよいのはもちろんである。
【図面の簡単な説明】
【００６６】
【図１】本発明に係るオートフォーカスシステムが適用される撮像システムの全体構成を示したブロック図である。
【図２】操作部のタッチパネル付ＬＣＤを用いて実際にオートフォーカス対象の切り換えを行う様子を示す説明図であり、（ａ）は操作者がモードの選択等を行うための表示、（ｂ）は予め登録されたデータを示す表示である。
【符号の説明】
【００６７】
１…撮像システム、１０…テレビカメラ、１２…カメラ本体、１２ａ、１４ａ…タリーランプ、１２ｂ、１４ｂ、２６ａ、３０ａ…シリアル通信インターフェイス、１４…レンズ装置、１６…ビューファインダ、１８…画像処理ユニット、２０…操作部、２２…雲台、２４…撮影レンズ（ズームレンズ）、２６…ＡＦユニット、２８…ダウンコンバータ、３０…メインボード、３２…認証処理演算ボード、３４…顔認証データカード、３６…デコーダ（Ａ／Ｄ変換器）、３８…ＣＰＵ、４０…ＲＡＭ、４２…スーパーインポーザ
【図１】
2010085530.tif 000003
【図２】
2010085530.tif 000004